(57)【要約】【課題】コンバージェンスを改善できるようにしたプロジェクション用偏向ヨーク装置および３管式プロジェクションＴＶを提供する。【解決手段】サドル型の垂直偏向コイル（ＶＬ，ＶＲ）を有するプロジェクション用偏向ヨーク装置において、左垂直偏向コイル（ＶＬ）と右垂直偏向コイル（ＶＲ）の巻線分布を非対称にし、左垂直偏向コイル（ＶＬ）の駆動電流（ＩＶＬ）と右垂直偏向コイル（ＶＲ）の駆動電流（ＩＶＲ）の一方を他方より大きくする。【効果】画面の四隅の磁界が画面の左右で非対称となり、この非対称によってスクリーン（ＳＣ）に対する投射角度による画像の歪みを補償可能となり、コンバージェンスを改善できる。また、副偏向ヨーク装置（１１１，１１２）にかかる負担を軽減できる。【選択図】　図５
2004031007.tif 000002
【特許請求の範囲】
【請求項１】
サドル型の垂直偏向コイル（ＶＬ，ＶＲ）を有するプロジェクション用偏向ヨーク装置において、左垂直偏向コイル（ＶＬ）と右垂直偏向コイル（ＶＲ）の巻線分布が対称であり、且つ、左垂直偏向コイル（ＶＬ）の駆動電流（ＩＶＬ）と右垂直偏向コイル（ＶＲ）の駆動電流（ＩＶＲ）の一方が他方より大きいことを特徴とするプロジェクション用偏向ヨーク装置（１０１，１０２）。
【請求項２】
サドル型の垂直偏向コイル（ＶＬ，ＶＲ）を有するプロジェクション用偏向ヨーク装置において、左垂直偏向コイル（ＶＬ）と右垂直偏向コイル（ＶＲ）の巻線分布が非対称であることを特徴とするプロジェクション用偏向ヨーク装置（２０１，２０２，３０１，３０２）。
【請求項３】
請求項１または請求項２に記載のプロジェクション用偏向ヨーク装置において、左垂直偏向コイル（ＶＬ）の駆動電流（ＩＶＬ）と右垂直偏向コイル（ＶＲ）の駆動電流（ＩＶＲ）の大きさの比を調整するための調整手段（Ｒｖ）を備えたことを特徴とするプロジェクション用偏向ヨーク装置（１０１’，１０２’，２０１’，２０２’）。
【請求項４】
トロイダル型の垂直偏向コイル（ＶＴ，ＶＢ）を有するプロジェクション用偏向ヨーク装置において、トロイダル・コア（ＣＴ，ＣＢ）の中心を通る垂直面（Ａｙ）に対して垂直偏向コイル（ＶＴ，ＶＢ）が偏在していることを特徴とするプロジェクション用偏向ヨーク装置（４０１，４０２）。
【請求項５】
Ｒ用ＣＲＴ（１１）、Ｇ用ＣＲＴ（５０）、Ｂ用ＣＲＴ（１２）を水平方向に並べた３管式プロジェクションＴＶにおいて、左端に設置したＣＲＴ（１１）および右端に設置したＣＲＴ（１２）が、請求項１から請求項５のいずれかに記載のプロジェクション用偏向ヨーク装置（１０１，１０２，２０１，２０２，３０１，３０２，１０１’，１０２’，２０１’，２０２’，４０１，４０２）を備えていることを特徴とする３管式プロジェクションＴＶ（１）。
【発明の詳細な説明】
【０００１】
【発明の属する技術分野】
本発明は、プロジェクション用偏向ヨーク装置および３管式プロジェクションＴＶに関し、更に詳しくは、コンバージェンスを改善することが出来るプロジェクション用偏向ヨーク装置および３管式プロジェクションＴＶに関する。
【０００２】
【従来の技術】
主偏向ヨークと副偏向ヨークとを具備してなるプロジェクション用偏向ヨーク装置の従来例は、例えば特開２０００−０２１３３０号公報に開示されている。
【０００３】
図１０は、従来の３管式プロジェクションＴＶの一例を示す要部構成図である。
この３管式プロジェクションＴＶ５では、赤画像をスクリーンＳＣに投射するＲ用ＣＲＴ５１と、緑画像をスクリーンＳＣに投射するＧ用ＣＲＴ５０と、青画像をスクリーンＳＣに投射するＢ用ＣＲＴ５２とを水平方向に並べて設置している。
Ｒ用ＣＲＴ５１は、水平偏向および垂直偏向を行うプロジェクション用偏向ヨーク装置５０１と、フォーカスやコンバージェンスを改善するための副偏向ヨーク装置５１１とを備えている。
Ｇ用ＣＲＴ５０は、水平偏向および垂直偏向を行うプロジェクション用偏向ヨーク装置５００と、フォーカスやコンバージェンスを改善するための副偏向ヨーク装置６００とを備えている。
Ｂ用ＣＲＴ５２は、水平偏向および垂直偏向を行うプロジェクション用偏向ヨーク装置５０２と、フォーカスやコンバージェンスを改善するための副偏向ヨーク装置５１２とを備えている。
【０００４】
【発明が解決しようとする課題】
スクリーンＳＣに対して、Ｇ用ＣＲＴ５０は正対しているが、Ｒ用ＣＲＴ５１とＢ用ＣＲＴ５２とは斜めになっている。このため、図１１の（ａ）に示すように、赤画像Ｆｒおよび青画像Ｆｂが台形になり、画面の四隅でコンバージェンスが悪くなる。そこで、副偏向ヨーク装置５１１，副偏向ヨーク装置５１２により、図１１の（ｂ）に示すように赤画像Ｆｒおよび青画像Ｆｂを整形し、コンバージェンスを改善している。
しかし、副偏向ヨーク装置５１１，副偏向ヨーク装置５１２にかかる負担が大きくなって、発熱が大きくなったり，コンバージェンスの改善が不十分になる問題点がある。
そこで、本発明の目的は、コンバージェンスを改善することが出来るプロジェクション用偏向ヨーク装置および３管式プロジェクションＴＶを提供することにある。
【０００５】
【課題を解決するための手段】
第１の観点では、本発明は、サドル型の垂直偏向コイル（ＶＬ，ＶＲ）を有するプロジェクション用偏向ヨーク装置において、左垂直偏向コイル（ＶＬ）と右垂直偏向コイル（ＶＲ）の巻線分布が対称であり、且つ、左垂直偏向コイル（ＶＬ）の駆動電流（ＩＶＬ）と右垂直偏向コイル（ＶＲ）の駆動電流（ＩＶＲ）の一方が他方より大きいことを特徴とするプロジェクション用偏向ヨーク装置（１０１，１０２）を提供する。
上記第１の観点によるプロジェクション用偏向ヨーク装置（１０１，１０２）では、左垂直偏向コイル（ＶＬ）と右垂直偏向コイル（ＶＲ）の巻線分布は対称であるが、駆動電流（ＩＶＬ）と駆動電流（ＩＶＲ）が非対称であるので、画面の四隅の磁界が画面の左右で非対称となるように出来る。そして、この非対称により、スクリーン（ＳＣ）に対する投射角度による画像の歪みを補償可能となる。よって、コンバージェンスを改善することが出来る。また、副偏向ヨーク装置（１１１，１１２）にかかる負担を軽減できる。
【０００６】
第２の観点では、本発明は、サドル型の垂直偏向コイル（ＶＬ，ＶＲ）を有するプロジェクション用偏向ヨーク装置において、左垂直偏向コイル（ＶＬ）と右垂直偏向コイル（ＶＲ）の巻線分布が非対称であることを特徴とするプロジェクション用偏向ヨーク装置（２０１，２０２，３０１，３０２）を提供する。
上記第２の観点によるプロジェクション用偏向ヨーク装置（２０１，２０２，３０１，３０２）では、左垂直偏向コイル（ＶＬ）と右垂直偏向コイル（ＶＲ）の巻線分布が非対称であるので、画面の四隅の磁界が画面の左右で非対称となるように出来る。そして、この非対称により、スクリーン（ＳＣ）に対する投射角度による画像の歪みを補償可能となる。よって、コンバージェンスを改善することが出来る。また、副偏向ヨーク装置（１１１，１１２）にかかる負担を軽減できる。
なお、左垂直偏向コイル（ＶＬ）と右垂直偏向コイル（ＶＲ）の巻線数は、同じでも異なってもよい。
【０００７】
第３の観点では、本発明は、上記構成のプロジェクション用偏向ヨーク装置において、左垂直偏向コイル（ＶＬ）の駆動電流（ＩＶＬ）と右垂直偏向コイル（ＶＲ）の駆動電流（ＩＶＲ）の大きさの比を調整するための調整手段（Ｒｖ）を備えたことを特徴とするプロジェクション用偏向ヨーク装置（１０１’，１０２’，２０１’，２０２’）を提供する。
上記第３の観点によるプロジェクション用偏向ヨーク装置（１０１’，１０２’，２０１’，２０２’）では、調整手段（Ｒｖ）により、画面の四隅の磁界が画面の左右で非対称となる程度を調整可能となる。これにより、コンバージェンスを改善する調整操作が非常に容易になる。
【０００８】
第４の観点では、本発明は、トロイダル型の垂直偏向コイル（ＶＴ，ＶＢ）を有するプロジェクション用偏向ヨーク装置において、トロイダル・コア（ＣＴ，ＣＢ）の中心を通る垂直面（Ａｙ）に対して垂直偏向コイル（ＶＴ，ＶＢ）が偏在していることを特徴とするプロジェクション用偏向ヨーク装置（４０１，４０２）を提供する。
上記第４の観点によるプロジェクション用偏向ヨーク装置（４０１，４０２）では、トロイダル・コア（ＣＴ，ＣＢ）の中心を通る垂直面（Ａｙ）に対して垂直偏向コイル（ＶＴ，ＶＢ）が偏在しているので、画面の四隅の磁界が画面の左右で非対称となる。そして、この非対称により、スクリーン（ＳＣ）に対する投射角度による画像の歪みを補償可能となる。よって、コンバージェンスを改善することが出来る。また、副偏向ヨーク装置（１１１，１１２）にかかる負担を軽減できる。
【０００９】
第５の観点では、本発明は、Ｂ用ＣＲＴ（１１）、Ｇ用ＣＲＴ（５０）、Ｒ用ＣＲＴ（１２）を水平方向に並べた３管式プロジェクションＴＶにおいて、左端に設置したＣＲＴ（１１）および右端に設置したＣＲＴ（１２）が、請求項１から請求項５のいずれかに記載のプロジェクション用偏向ヨーク装置（１０１，１０２，２０１，２０２，３０１，３０２，１０１’，１０２’，２０１’，２０２’，４０１，４０２）を備えていることを特徴とする３管式プロジェクションＴＶ（１）を提供する。
３管式プロジェクションＴＶ（１）では、スクリーン（ＳＣ）が近接しているため、左端に設置したＣＲＴ（１１）および右端に設置したＣＲＴ（１２）の投射角度を９０゜に近づけにくい。このため、コンバージェンスが悪化しやい。
これに対して、上記第５の観点による３管式プロジェクションＴＶ（１）では、本発明のプロジェクション用偏向ヨーク装置（１０１，１０２，２０１，２０２，３０１，３０２，１０１’，１０２’，２０１’，２０２’，４０１，４０２）を備えているので、コンバージェンスを十分改善することが出来る。
【００１０】
なお、本発明のプロジェクション用偏向ヨーク装置（１０１，１０２，２０１，２０２，３０１，３０２，１０１’，１０２’，２０１’，２０２’，４０１，４０２）は、遠方に設置したスクリーンに画像を投射する３管式プロジェクタにおける左端に設置したＣＲＴおよび右端に設置したＣＲＴに備えてもよい。
【００１１】
【発明の実施の形態】
以下、図に示す実施形態により本発明をさらに詳細に説明する。なお、これにより本発明が限定されるものではない。
【００１２】
−第１の実施形態−
図１は、第１の実施形態にかかる３管式プロジェクションＴＶ１を示す要部構成図である。
この３管式プロジェクションＴＶ１では、赤画像をスクリーンＳＣに投射するＲ用ＣＲＴ１１と、緑画像をスクリーンＳＣに投射するＧ用ＣＲＴ５０と、青画像をスクリーンＳＣに投射するＢ用ＣＲＴ１２とを水平方向に並べて設置している。
Ｒ用ＣＲＴ１１は、水平偏向および垂直偏向を行うプロジェクション用偏向ヨーク装置１０１と、フォーカスやコンバージェンスを改善するための副偏向ヨーク装置１１１とを備えている。
Ｇ用ＣＲＴ５０は、水平偏向および垂直偏向を行うプロジェクション用偏向ヨーク装置５００と、フォーカスやコンバージェンスを改善するための副偏向ヨーク装置６００とを備えている。
Ｂ用ＣＲＴ１２は、水平偏向および垂直偏向を行うプロジェクション用偏向ヨーク装置１０２と、フォーカスやコンバージェンスを改善するための副偏向ヨーク装置１１２とを備えている。
【００１３】
図２は、図３のＢ−Ｂ’端面図である。また、図３は、図１のＡ−Ａ’断面図である。
セパレータＳＴ，ＳＢの内側に装着された水平偏向コイルＨＴ，ＨＢと、セパレータＳＴ，ＳＢの外側に装着された垂直偏向コイルＶＲ，ＶＬとは、セパレータＳＴ，ＳＢによりアイソレートされている。
【００１４】
上セパレータＳＴおよび上水平偏向コイルＨＴは一体化されており、下セパレータＳＢおよび下水平偏向コイルＨＢは一体化されており、上セパレータＳＴおよび上水平偏向コイルＨＴと下セパレータＳＢおよび下水平偏向コイルＨＢとは、上下に開くようにして分離することが出来る。
【００１５】
左垂直偏向コイルＶＬと右垂直偏向コイルＶＲとは、セパレータＳＴ，ＳＢを左右から挟むように装着されているが、左右に開くようにして取り外すことが出来る。
上コアＣＴと下コアＣＢとは、垂直偏向コイルＶＬ，ＶＲを上下から挟むように装着されているが、上下に開くようにして取り外すことが出来る。
【００１６】
下セパレータＳＢの一端には、上水平偏向コイルＨＴと下水平偏向コイルＨＢとを分離するためのリブ部ＬＲが設けられている。また、上セパレータＳＴの一端には、上水平偏向コイルＨＴと下水平偏向コイルＨＢとを分離するためのリブ部ＬＬが設けられている。
【００１７】
図４に示すように、プロジェクション用偏向ヨーク装置１０１，１０２では、左垂直偏向コイルＶＬと右垂直偏向コイルＶＲの巻線分布が対称になっている。また、左垂直偏向コイルＶＬに左分流抵抗Ｒ１が並列接続され、右垂直偏向コイルＶＲに右分流抵抗Ｒ２が並列接続されている。
【００１８】
そして、左端に設置されたＲ用ＣＲＴ１１のプロジェクション用偏向ヨーク装置１０１では、Ｒ１＞Ｒ２としている。このため、左垂直偏向コイルＶＬの駆動電流ＩＶＬ＞右垂直偏向コイルＶＲの駆動電流ＩＶＲとなる。そこで、画面の四隅の左側の垂直偏向が右側より大きくなる。ところが、Ｒ用ＣＲＴ１１とスクリーンＳＣの幾何学的関係では、赤画像Ｆｒの左垂直辺が小さく、右垂直辺が大きくなる。よって、両者が打ち消しあって、コンバージェンスが改善される。
【００１９】
他方、右端に設置されたＢ用ＣＲＴ１２のプロジェクション用偏向ヨーク装置１０２では、Ｒ１＜Ｒ２としている。このため、ＩＶＬ＜ＩＶＲとなる。そこで、画面の四隅の左側より右側の垂直偏向が大きくなる。ところが、Ｂ用ＣＲＴ１２とスクリーンＳＣの幾何学的関係では、青画像Ｆｂの左垂直辺が大きく、右垂直辺が小さくなる。よって、両者が打ち消しあって、コンバージェンスが改善される。
【００２０】
−第２の実施形態−
図５に示すように、第２の実施形態のプロジェクション用偏向ヨーク装置２０１，２０２では、左垂直偏向コイルＶＬと右垂直偏向コイルＶＲの巻線分布が非対称になっている。また、左垂直偏向コイルＶＬに左分流抵抗Ｒ１が並列接続され、右垂直偏向コイルＶＲに右分流抵抗Ｒ２が並列接続されている。
【００２１】
そして、図５の（ａ）に示すように、左端に設置されたＲ用ＣＲＴ１１のプロジェクション用偏向ヨーク装置２０１では、左垂直偏向コイルＶＬの巻線数が右垂直偏向コイルＶＲより多くなっており、且つ、Ｒ１＞Ｒ２としている。このため、画面の四隅の左側の垂直偏向が右側より大きくなる。ところが、Ｒ用ＣＲＴ１１とスクリーンＳＣの幾何学的関係では、赤画像Ｆｒの左垂直辺が小さく、右垂直辺が大きくなる。よって、両者が打ち消しあって、コンバージェンスが改善される。
【００２２】
他方、図５の（ｂ）に示すように、右端に設置されたＢ用ＣＲＴ１２のプロジェクション用偏向ヨーク装置２０２では、左垂直偏向コイルＶＬより右垂直偏向コイルＶＲの巻線数が多くなっており、且つ、Ｒ１＜Ｒ２としている。このため、画面の四隅の左側より右側の垂直偏向が大きくなる。ところが、Ｂ用ＣＲＴ１２とスクリーンＳＣの幾何学的関係では、青画像Ｆｂの左垂直辺が大きく、右垂直辺が小さくなる。よって、両者が打ち消しあって、コンバージェンスが改善される。
【００２３】
−第３の実施形態−
図６に示すように、第３の実施形態のプロジェクション用偏向ヨーク装置３０１，３０２では、左垂直偏向コイルＶＬと右垂直偏向コイルＶＲの巻線分布が非対称になっている。また、左垂直偏向コイルＶＬと右垂直偏向コイルＶＲとに同じ垂直偏向電流Ｉｖが流れる。
【００２４】
そして、図６の（ａ）に示すように、左端に設置されたＲ用ＣＲＴ１１のプロジェクション用偏向ヨーク装置３０１では、左垂直偏向コイルＶＬによる磁界のピンクッション度が右垂直偏向コイルＶＲより強い巻線分布になっている。このため、画面の四隅の左側の垂直偏向が右側より大きくなる。ところが、Ｒ用ＣＲＴ１１とスクリーンＳＣの幾何学的関係では、赤画像Ｆｒの左垂直辺が小さく、右垂直辺が大きくなる。よって、両者が打ち消しあって、コンバージェンスが改善される。
【００２５】
他方、図６の（ｂ）に示すように、右端に設置されたＢ用ＣＲＴ１２のプロジェクション用偏向ヨーク装置３０２では、左垂直偏向コイルＶＬより右垂直偏向コイルＶＲによる磁界のピンクッション度が強い巻線分布になっている。このため、画面の四隅の左側より右側の垂直偏向が大きくなる。ところが、Ｂ用ＣＲＴ１２とスクリーンＳＣの幾何学的関係では、青画像Ｆｂの左垂直辺が大きく、右垂直辺が小さくなる。よって、両者が打ち消しあって、コンバージェンスが改善される。
【００２６】
−第４の実施形態−
図７に示すように、第４の実施形態のプロジェクション用偏向ヨーク装置１０１’，１０２’は、基本的に第１の実施形態のプロジェクション用偏向ヨーク装置１０１，１０２と同じ構成であるが、可変分流抵抗Ｒｖによって、左垂直偏向コイルＶＬの駆動電流ＩＶＬと右垂直偏向コイルＶＲの駆動電流ＩＶＲの大きさを調整可能になっている。これにより、調整作業が容易になり、個々のＣＲＴのバラツキに対応できるようになる。
【００２７】
−第５の実施形態−
図８に示すように、第５の実施形態のプロジェクション用偏向ヨーク装置２０１’，２０２’は、基本的に第２の実施形態のプロジェクション用偏向ヨーク装置２０１，２０２と同じ構成であるが、可変分流抵抗Ｒｖによって、左垂直偏向コイルＶＬの駆動電流ＩＶＬと右垂直偏向コイルＶＲの駆動電流ＩＶＲの大きさを調整可能になっている。これにより、調整作業が容易になり、個々のＣＲＴのバラツキに対応できるようになる。
【００２８】
−第６の実施形態−
図９に示すように、第６の実施形態のプロジェクション用偏向ヨーク装置４０１，４０２では、垂直偏向コイルがトロイダル型になっている。すなわち、上トロイダル・コアＣＴ，上トロイダル・コアＣＢに上垂直偏向コイルＶＴ，上垂直偏向コイルＶＢがそれぞれトロイダル巻きされている。
【００２９】
そして、図９の（ａ）に示すように、左端に設置されたＲ用ＣＲＴ１１のプロジェクション用偏向ヨーク装置４０１では、トロイダル・コアＣＴ，ＣＢの中心を通る垂直面Ａｙに対して、垂直偏向コイルＶＴ，ＶＢが右側に偏在している。このため、画面の四隅の左側の垂直偏向磁界のピンクッション度が右側より強くなる。すなわち、画面の四隅の左側の垂直偏向が右側より大きくなる。ところが、Ｒ用ＣＲＴ１１とスクリーンＳＣの幾何学的関係では、赤画像Ｆｒの左垂直辺が小さく、右垂直辺が大きくなる。よって、両者が打ち消しあって、コンバージェンスが改善される。
【００３０】
他方、図９の（ｂ）に示すように、右端に設置されたＢ用ＣＲＴ１２のプロジェクション用偏向ヨーク装置４０２では、トロイダル・コアＣＴ，ＣＢの中心を通る垂直面Ａｙに対して、垂直偏向コイルＶＴ，ＶＢが左側に偏在している。このため、画面の四隅の左側より右側の垂直偏向磁界のピンクッション度が強くなる。すなわち、画面の四隅の左側より右側の垂直偏向が大きくなる。ところが、Ｂ用ＣＲＴ１２とスクリーンＳＣの幾何学的関係では、青画像Ｆｂの左垂直辺が大きく、右垂直辺が小さくなる。よって、両者が打ち消しあって、コンバージェンスが改善される。
【００３１】
【発明の効果】
本発明のプロジェクション用偏向ヨーク装置（１０１，１０２，２０１，２０２，３０１，３０２，１０１’，１０２’，２０１’，２０２’，４０１，４０２）および３管式プロジェクションＴＶ（１）によれば、画面の四隅の磁界が画面の左右で非対称となり、この磁界の非対称によってスクリーン（ＳＣ）に対する投射角度による画像の歪みを補償可能となる。よって、コンバージェンスを改善することが出来る。また、副偏向ヨーク装置（１１１，１１２）にかかる負担を軽減することが出来る。
【図面の簡単な説明】
【図１】本発明の実施形態にかかる３管式プロジェクションＴＶの要部構成を示す平面図である。
【図２】サドル型の垂直偏向コイルを持つプロジェクション用偏向ヨーク装置の端面図（図３のＢ−Ｂ’端面図）である。
【図３】サドル型の垂直偏向コイルを持つプロジェクション用偏向ヨーク装置の断面図（図２のＡ−Ａ’断面図）である。
【図４】第１の実施形態にかかるプロジェクション用偏向ヨーク装置の回路構成を示す回路図である。
【図５】第２の実施形態にかかるプロジェクション用偏向ヨーク装置の回路構成を示す回路図である。
【図６】第３の実施形態にかかるプロジェクション用偏向ヨーク装置の回路構成を示す回路図である。
【図７】第４の実施形態にかかるプロジェクション用偏向ヨーク装置の回路構成を示す回路図である。
【図８】第５の実施形態にかかるプロジェクション用偏向ヨーク装置の回路構成を示す回路図である。
【図９】第６の実施形態にかかるプロジェクション用偏向ヨーク装置の回路構成を示す回路図である。
【図１０】従来の３管式プロジェクションＴＶの要部構成を示す平面図である。
【図１１】３管式プロジェクションＴＶのコンバージェンスを示す説明図である。
【符号の説明】
１１　　　　　　　　Ｒ用ＣＲＴ
１２　　　　　　　　Ｂ用ＣＲＴ
１０１，１０２，２０１，２０２，３０１，３０２，１０１’，１０２’，２０１’，２０２’，４０１，４０２　　　プロジェクション用偏向ヨーク装置
ＣＢ　　　　　　　　下トロイダル・コア
ＣＴ　　　　　　　　上トロイダル・コア
Ｒ１　　　　　　　　左分流抵抗
Ｒ２　　　　　　　　右分流抵抗
Ｒｖ　　　　　　　　可変分流抵抗
ＶＢ　　　　　　　　下垂直偏向コイル
ＶＬ　　　　　　　　左垂直偏向コイル
ＶＲ　　　　　　　　右垂直偏向コイル
ＶＴ　　　　　　　　上垂直偏向コイル
【図１】
2004031007.tif 000003
【図２】
2004031007.tif 000004
【図３】
2004031007.tif 000005
【図４】
2004031007.tif 000006
【図５】
2004031007.tif 000007
【図６】
2004031007.tif 000008
【図７】
2004031007.tif 000009
【図８】
2004031007.tif 000010
【図９】
2004031007.tif 000011
【図１０】
2004031007.tif 000012
【図１１】
2004031007.tif 000013